(57)【要約】【課題】容易に採光装置を設置可能な採光装置用屋根材の提供【解決手段】採光装置用屋根材１は、隣接する屋根材Ｒに繋ぎ合わされて使用されるものであって、挿通用開口部２ａが形成されたベース部２と、挿通用開口部２ａの周縁部から起立する円筒状の支持部３と、を備える。ベース部２の両側縁には左右一対の接合部２２，２２が設けられ、ベース部２の上面は平坦面とされている。左右一対の接合部２２，２２の各々は、一対の屋根材Ｒに設けられた接合部Ｒ４，Ｒ４に対応する形状を有し、これら一対の屋根材Ｒ，Ｒに設けられた接合部Ｒ４，Ｒ４と接合可能とされている。支持部３には、蓋部材４と採光装置５が選択的に設置される。【選択図】図１
2015158053.tif 000002
【特許請求の範囲】
【請求項１】
隣接する屋根材に繋ぎ合わされて使用される採光装置用屋根材であって、
挿通用開口部が形成されたベース部と、
前記挿通用開口部の周縁部から起立する円筒状の支持部と、を備え、
前記ベース部の側縁には第１接合部が設けられ、前記ベース部の上面は平坦面とされ、
前記第１接合部は、前記屋根材の一方の側縁部に設けられた第２接合部に対応する形状を有し、前記屋根材の他方の側縁部に設けられた第３接合部と接合可能に形成され、
前記支持部には蓋部材と採光装置とが選択的に設置されることを特徴とする採光装置用屋根材。
【請求項２】
前記挿通用開口部及び前記支持部はプレス加工により形成され、前記支持部と前記ベース部とは一体に形成されていることを特徴とする請求項１に記載の採光装置用屋根材。
【請求項３】
前記屋根材はハゼ式折板屋根材であって、前記第１接合部は上ハゼ又は下ハゼであることを特徴とする請求項１又は２に記載の採光装置用屋根材。
【請求項４】
前記採光装置用屋根材は、補強部材を介して一対のタイトフレームに固定されて設置され、前記補強部材は前記一対のタイトフレームの間に掛け渡される一対の棒状部材と、前記一対の棒状部材を連結する連結部材と、を備えることを特徴とする請求項１〜３の何れかに記載の採光装置用屋根材。
【請求項５】
前記屋根材は山部及び谷部が形成された重ね式屋根材であって、前記第１接合部は、前記重ね式屋根材の前記山部に対応した形状を有することを特徴とする請求項１又は２に記載の採光装置用屋根材。
【請求項６】
瓦棒屋根を構成する溝板に代えて設置される採光装置用屋根材であって、
挿通用開口部が形成されたベース部と、
前記挿通用開口部の周縁部から起立する円筒状の支持部と、を備え、
前記ベース部の側縁には上方に起立する接合部が設けられ、前記接合部は通し吊子又心木に当接して配置されると共にキャップを介して隣接する溝板に連結され、
前記支持部には蓋部材と採光装置とが選択的に設置されることを特徴とする採光装置用屋根材。
【請求項７】
前記ベース部には、水下側に配設される他の採光装置用屋根材と連結される第１連結部と、水上側に配設される他の採光装置用屋根材と連結される第２連結部と、が形成され、
前記第１連結部は、前記ベース部の上面から水下側へ向かって斜め上方に延びる傾斜部と、前記傾斜部の上端に形成された略コの字型断面を有する係止部と、を備え、
前記第２連結部は、前記ベース部の前記上面から上方に向かって立ち上がる起立部と、前記起立部の上端に形成された略コの字型断面を有する被係止部と、を備え、
前記第１連結部は、前記水下側に配設される他の採光装置用屋根材に設けられた前記第２連結部の前記被係止部に前記係止部が係止することにより、前記水下側に位置する他の採光装置用屋根材と連結されることを特徴とする請求項１〜６の何れかに記載の採光装置用屋根材。
【請求項８】
複数の屋根材が棟軒方向に連結された連結屋根材であって、
前記複数の屋根材の各々は、請求項１〜６の何れかに記載の採光装置用屋根材であって、前記複数の屋根材は水上側屋根材と水下側屋根材とを有し、前記水上側屋根材の前記水下側部位には上面から突出するエンボス部が設けられ、
前記水下側屋根材の水上側部位の上に前記水上側屋根材の水下側部位が積層され、
前記水下側屋根材の前記水上側部位と前記水上側屋根材の前記水下側部位とは、前記水下側屋根材の前記水上側部位と前記水上側屋根材の前記エンボス部の間に介在する接着手段によって接着されると共に、前記水上側屋根材の前記エンボス部と前記接着手段を通して前記水下側屋根材に螺着された固定手段によって固定されていることを特徴とする連結屋根材。
【発明の詳細な説明】
【技術分野】
【０００１】
本発明は、採光装置を容易に設置することのできる採光装置用屋根材に関する。
【背景技術】
【０００２】
従来より、太陽からの光を屋内へ導入して屋内を照明するための採光装置が実用に供されている。また、省エネルギー化及び環境問題の観点から、例えば工場や倉庫、店舗等の建物に採光装置を施工するケースが増加している。このような建物の屋根には山部及び谷部が交互に形成されており、採光装置の取付は次の様に行われていた。
【０００３】
まず、屋根に貫通孔を穿設する。ボックス状のカバー部材を貫通孔に上方より挿入し、貫通孔の周縁部に支持させる。カバー部材を上方から覆うように取付部を屋根の一対の山部に固定し、筒状部材を取付部の開口部及びカバー部材の開口部へ上方より挿入して装着させる。その後、ドーム部材を取付部の上端部に装着させる。また、取付部の水上側及び水下側には、谷部を上方から覆うようにパネル部材が設置され、谷部への雨水の浸入を防止して雨漏りを防止している（例えば、特許文献１参照）。
【先行技術文献】
【特許文献】
【０００４】
【特許文献１】特開第２０１２−１３６８５５号公報
【発明の概要】
【発明が解決しようとする課題】
【０００５】
しかしながら、このような採光装置の設置工程は煩雑で、時間もコストもかかるという問題があった。特に、屋根に穿設された貫通孔からの雨漏り対策や、多数のパネル部材の設置が、工期短縮や採光装置全体のコスト削減の妨げとなっていた。また、例えば新築の建物に採光装置を設置する際においても、設置された通常の屋根材の上にパネル部材を重ねて設置することになり、屋根材を無駄に用いる結果となっていた。
【０００６】
本発明は、容易に採光装置を設置可能な採光装置用屋根材の提供を目的とする。
【課題を解決するための手段】
【０００７】
本発明の請求項１に記載の採光装置用屋根材は、隣接する屋根材に繋ぎ合わされて使用される採光装置用屋根材であって、挿通用開口部が形成されたベース部と、前記挿通用開口部の周縁部から起立する円筒状の支持部と、を備え、前記ベース部の側縁には第１接合部が設けられ、前記ベース部の上面は平坦面とされ、前記第１接合部は、前記屋根材の一方の側縁部に設けられた第２接合部に対応する形状を有し、前記屋根材の他方の側縁部に設けられた第３接合部と接合可能に形成され、前記支持部には蓋部材と採光装置とが選択的に設置されることを特徴とする。
【０００８】
本発明の請求項２に記載の採光装置用屋根材は、前記挿通用開口部及び前記支持部はプレス加工により形成され、前記支持部と前記ベース部とは一体に形成されていることを特徴とする。
【０００９】
本発明の請求項３に記載の採光装置用屋根材は、前記屋根材はハゼ式折板屋根材であって、前記第１接合部は上ハゼ又は下ハゼであることを特徴とする。
【００１０】
本発明の請求項４に記載の採光装置用屋根材は、補強部材を介して一対のタイトフレームに固定されて設置され、前記補強部材は前記一対のタイトフレームの間に掛け渡される一対の棒状部材と、前記一対の棒状部材を連結する連結部材と、を備えることを特徴とする。
【００１１】
本発明の請求項５に記載の採光装置用屋根材は、前記屋根材は山部及び谷部が形成された重ね式屋根材であって、前記第１接合部は、前記重ね式屋根材の前記山部に対応した形状を有することを特徴とする。
【００１２】
本発明の請求項６に記載の採光装置用屋根材は、瓦棒屋根を構成する溝板に代えて設置される採光装置用屋根材であって、挿通用開口部が形成されたベース部と、前記挿通用開口部の周縁部から起立する円筒状の支持部と、を備え、前記ベース部の側縁には上方に起立する接合部が設けられ、前記接合部は通し吊子又心木に当接して配置されると共にキャップを介して隣接する溝板に連結され、前記支持部には蓋部材と採光装置とが選択的に設置されることを特徴とする。
【００１３】
本発明の請求項７に記載の採光装置用屋根材は、前記ベース部には、水下側に配設される他の採光装置用屋根材と連結される第１連結部と、水上側に配設される他の採光装置用屋根材と連結される第２連結部と、が形成され、前記第１連結部は、前記ベース部の上面から水下側へ向かって斜め上方に延びる傾斜部と、前記傾斜部の上端に形成された略コの字型断面を有する係止部と、を備え、前記第２連結部は、前記ベース部の前記上面から上方に向かって立ち上がる起立部と、前記起立部の上端に形成された略コの字型断面を有する被係止部と、を備え、前記第１連結部は、前記水下側に配設される他の採光装置用屋根材に設けられた前記第２連結部の前記被係止部に前記係止部が係止することにより、前記水下側に位置する他の採光装置用屋根材と連結されることを特徴とする。
【００１４】
本発明の請求項８に記載の連結屋根材は、複数の屋根材が棟軒方向に連結された連結屋根材であって、前記複数の屋根材の各々は、請求項１〜６の何れかに記載の採光装置用屋根材であって、前記複数の屋根材は水上側屋根材と水下側屋根材とを有し、前記水上側屋根材の前記水下側部位には上面から突出するエンボス部が設けられ、前記水下側屋根材の水上側部位の上に前記水上側屋根材の水下側部位が積層され、前記水下側屋根材の前記水上側部位と前記水上側屋根材の前記水下側部位とは、前記水下側屋根材の前記水上側部位と前記水上側屋根材の前記エンボス部の間に介在する接着手段によって接着されると共に、前記水上側屋根材の前記エンボス部と前記接着手段を通して前記水下側屋根材に螺着された固定手段によって固定されていることを特徴とする。
【発明の効果】
【００１５】
本発明の請求項１に記載の採光装置用屋根材は、支持部に蓋部材と採光装置とを選択的に設置可能とされているため、採光装置を使用しない場合には蓋部材を設置しておき、必要に応じて蓋部材に代えて採光装置を設置することで、容易に採光装置を後付けすることができる。しかも、ベース部には予め挿通用開口部が形成されているので、採光装置を設置する際に屋根材に挿通用開口部を改めて穿設する必要がなく、採光装置の設置工程を簡素化できる。また。ベース部の両側縁に設けられた接合部は、屋根材に設けられた接合部に対応する形状を有しているため、屋根材同士の接合工程と同一の接合工程にて屋根材と採光装置用屋根材とを接合させることができる。更に、採光装置用屋根材は通常の屋根材に代えて設けられるため、通常の屋根材の上に採光装置用屋根材を重ねて設置する必要がなくなり、余計な部材及び設置工程を排除することができ、採光装置の設置コストを大幅に削減することができる。
【００１６】
本発明の請求項２に記載の採光装置用屋根材によれば、支持部はプレス加工によりベース部と一体に形成されるので、ベース部に支持部を溶接等により後付けする工程が不要となり、採光装置用屋根材の製造工程を簡素化することができると共に、例えばベース部と支持部との溶接不要等に起因する雨漏り等のトラブルの発生を確実に防止することができる。
【００１７】
本発明の請求項３に記載の採光装置用屋根材によれば、屋根材はハゼ式折板であって、ベース部に設けられた第１接合部は上ハゼ又は下ハゼであるため、特殊な方法によらなくても、屋根材と採光装置用屋根材とをハゼ継ぎにより接合させることができる。
【００１８】
本発明の請求項４に記載の採光装置用屋根材によれば、採光装置用屋根材は一対のタイトフレームの間に掛け渡された補強部材を介して設置されるので、タイトフレームの設置間隔が比較的大きい場合であっても、採光装置用屋根材の強度不足を補うことができる。
【００１９】
本発明の請求項５に記載の採光装置用屋根材によれば、第１接合部は一対の重ね式屋根材の山部に対応した形状を有するため、特殊な方法によらなくても、採光装置用屋根材と重ね式屋根材とを、重ね式屋根材同士の接合工程と同一の工程によって接合させることができる。
【００２０】
本発明の請求項６に記載の採光装置用屋根材によれば、支持部に蓋部材と採光装置とを選択的に設置可能とされているため、採光装置を使用しない場合には蓋部材を設置しておき、必要に応じて蓋部材に代えて採光装置を設置することで、容易に採光装置を後付けすることができる。しかも、ベース部には予め挿通用開口部が形成されているので、採光装置を設置する際に溝板に挿通用開口部を改めて穿設する必要がなく、採光装置の設置工程を簡素化できる。また。採光装置用屋根材は通常の屋根材に代えて設けられるため、通常の屋根材の上に採光装置用屋根材を重ねて設置する必要がなくなり、余計な部材及び設置工程を排除することができ、採光装置の設置コストを大幅に削減することができる。
【００２１】
本発明の請求項７に記載の採光装置用屋根材によれば、水下側に配設される他の採光装置用屋根材と連結される第１連結部と、水上側に配設される他の採光装置用屋根材と連結される第２連結部と、が形成され、第１連結部は係止部を有し、第２連結部は被係止部を有するので、複数の採光装置用屋根材の連結を容易に行うことができる。
【００２２】
本発明の請求項８に記載の連結屋根材によれば、水上側屋根材における固定手段の挿通箇所には上面から突出するエンボス部が設けられているため、固定手段を挿通させるに際して穿設された水上側屋根材の貫通孔に雨水等が浸入するのを効果的に防止することができる。更に固定手段は接着手段を通して水下側屋根材に螺着されるので、仮に水上側屋根材の貫通孔に雨水が浸入しても、接着手段によって雨水が屋内にまで浸入するのが防止される。更に、水下側屋根材と水上側屋根材とは積層されて連結されるため、水下側屋根材の水上側端部と水上側屋根材の水下側端部とをハゼ継ぎして連結させる構成と異なり、これらの幅方向端部に隙間が生じるのを防止できる。
【図面の簡単な説明】
【００２３】
【図１】本発明の第１実施形態に係る採光装置用屋根材を一般的な折板屋根材と共に示す分解斜視図。
【図２】（ａ）は、屋根に設置された採光装置用屋根材に蓋部材を装着した状態を示す斜視図であって、（ｂ）は、屋根に設置された採光装置用屋根材に採光装置を装着した状態を示す斜視図。
【図３】図１の採光装置用屋根材の設置に用いられる補強部材の一例を示す斜視図。
【図４】本発明の第２実施形態に係る採光装置用屋根材を複数連結して設置した状態を示す斜視図。
【図５】図４の採光装置用屋根材を示す斜視図。
【図６】図５のＶＩ―ＶＩ線断面図。
【図７】図３のＶＩＩ―ＶＩＩ線断面図。
【図８】本発明の第３実施形態に係る採光装置用屋根材を複数連結して設置した状態を示す斜視図。
【図９】図８に示す採光装置用屋根材の連結方法を説明する斜視図。
【図１０】本発明の第４実施形態に係る採光装置用屋根材を示す斜視図。
【図１１】図１０に示す採光装置用屋根材の変形例を示す斜視図。
【図１２】重ね式屋根に用いられる採光装置用屋根材の一例を示す斜視図。
【図１３】波板屋根に用いられる採光装置用屋根材の一例を示す斜視図。
【図１４】瓦棒屋根に用いられる採光装置用屋根材の一例を示す斜視図。
【発明を実施するための形態】
【００２４】
［第１実施形態］
以下、添付図面を参照して、本発明の第１実施形態に係る採光装置用屋根材について説明する。本実施形態の採光装置用屋根材は、左右方向（軒方向）に屋根材同士を繋ぎ合わせて建築物の屋根を葺く際に、１又は複数の通常の屋根材に代えて用いられるものであり、左右両側に位置する一対の屋根材と接合可能に構成されている。ここでは、屋根材として図１に示すハゼ式折板屋根材Ｒを用いた場合を例に説明する。
【００２５】
図１に示すハゼ式折板屋根材Ｒは、平坦な底板部Ｒ１と、底板部Ｒ１の左右両側縁部から外開き状態で立ち上がる一対の傾斜側板部Ｒ２，Ｒ２と、各傾斜側板部Ｒ２の上端から外方へ延びる肩部Ｒ３と、肩部Ｒ３に設けられた接合部Ｒ４（下ハゼＲ４ａ、上ハゼＲ４ｂ（第２接合部、第３接合部））と、を備えて構成されている。本実施形態においては、下ハゼＲ４ａは、一方の肩部Ｒ３に下向き略コの字形断面を有して形成され、上ハゼ４ｂは、他方の肩部Ｒ３に略コの字形断面を有して形成されている。
【００２６】
このように構成されたハゼ式折板屋根材Ｒは、左右方向に沿って複数隣接配置され、ハゼ式折板屋根材Ｒの下ハゼＲ４ａと上ハゼＲ４ｂとを嵌合させてハゼ締め加工を施すことにより、ハゼ式折板屋根を構成するようにされている。
【００２７】
採光装置用屋根材１は、中央部に挿通用開口部２ａが設けられた矩形状且つ平板状のベース部２と、挿通用開口部２ａの周縁部から起立する円筒状の支持部３とを備え、一枚の平板部材にプレス加工を施すことにより形成される。よって、ベース部２と支持部３とは一体に形成され、溶接等によりベース部に支持部を固定させて形成する場合と異なり、ベース部２と支持部３の間につなぎ目が存在せず、溶接不良等に起因する雨漏りの発生を確実に回避することができる。
【００２８】
ベース部２の左右側縁には一対の接合部２２，２２（２２ａ，２２ｂ（第１接合部））が設けられている。接合部２２，２２の各々はハゼ式折板屋根材Ｒに設けられた接合部Ｒ４，Ｒ４（下ハゼＲ４ａ、上ハゼＲ４ｂ）の各々と実質同一の形状を有する。即ち、本実施形態では、一方の接合部２２ａは、下ハゼＲ４ａに対応して、下向き略コの字形断面を有して形成され、他方の接合部２２ｂは上ハゼＲ４ｂに対応して、略コの字形断面を有して形成されている。
【００２９】
また、支持部３には、図１に示す蓋部材４と採光装置５の何れかが選択的に設置される。蓋部材４は、円形状のキャップ状に構成され、支持部３の上端部に着脱自在に設置可能とされている。採光装置５は、太陽からの光を導入するための採光手段５１と、採光手段５１からの光をその内面で反射させながら所定方向に導くための筒状の導光手段５２と、導光手段５２により導かれた光を屋内に照射するための照射手段５３と、を備えている。採光手段５１は、透明のドーム部材５１ａと、ドーム部材５１ａの内周面に配設された集光反射板５１ｂと、を備える。ドーム部材５１ａは略半球面状に構成され、その開口部には、径方向外側に幾分拡大された段差部５１ｃが設けられている。
【００３０】
導光手段５２は、上下に延びる円筒状の筒状部材５２ａから構成されている。筒状部材５２ａの内面には反射面が形成され、筒状部材５２ａの上端部にはドーム部材５１ａの段差部５１ｃを支持するための固定用リング５２ｂが取り付けられている。照射手段５３は、略半球状の拡散カバー部材から構成され、筒状部材５２ａの下端部における開口部を覆うようにして装着されている。
【００３１】
このように構成された採光装置用屋根材１は、一対のハゼ式折板屋根材Ｒの間に配置され、これらハゼ式折板屋根材Ｒに接合されて用いられる。即ち、一対のハゼ式折板屋根材Ｒの間に採光装置用屋根材１を敷設し、一方のハゼ式折板屋根材Ｒの上ハゼＲ４ｂと採光装置用屋根材１の下ハゼ２２ａとをハゼ継ぎし、他方のハゼ式折板屋根材Ｒの下ハゼＲ４ａと採光装置用屋根材１の上ハゼ２２ｂとをハゼ継ぎすればよい。そして、採光装置５を用いない場合には、図２（ａ）に示す様に支持部３に蓋部材４を取り付けておき、必要に応じて蓋部材４に代えて採光装置５を支持部３に取り付ければよい（図２（ｂ）参照）。採光装置５の支持部３への取付は次の様に行う。即ち、照射手段５３が装着された筒状部材５２ａを、取付部３に上方より挿入し、固定用リング５２ｂを取付部３の上端に装着する。その後、ドーム部材５１ａの段差部５１ｃを固定用リング５２ｂに装着し、取付ネジ（図示せず）により両者を固定する。
【００３２】
このように、本実施形態によれば、採光装置用屋根材１には予め挿通用開口部２ａが形成されているため、採光装置５を施工する際に改めて屋根材（例えばハゼ式折板屋根材Ｒ）に挿通孔を穿設する必要がなく、採光装置５の施工を容易に行うことができる。また、ハゼ式折板屋根材Ｒによって構成される折板屋根のように、山部Ｒ５と谷部Ｒ６とを有する屋根であっても、採光装置５により谷部Ｒ６が堰き止められることがないので、谷部Ｒ６を覆うためのパネル部材を後付けする必要がなく、採光装置５の施工工程を大幅に減らすことができる。更に、採光装置用屋根材１には、その両側に設置される屋根材に対応する接合部２２が形成されているため、従来の屋根材と同じ工程で採光装置用屋根材１を敷設することができる。また、採光装置５を使用しない場合には蓋部材４を取付部３に取り付けておくとこにより、挿通用開口部２ａを介して不必要に太陽光が屋内に照射されるのを防止できる。
【００３３】
また、採光装置用屋根材１は、通常の屋根材（本実施形態においてはハゼ式折板屋根材Ｒ）に代えて設置されるので、採光装置用屋根材１と通常の屋根材とを二重に設置する必要がなく、無駄な屋根材の使用を回避できる。更に、取付部３はベース部２と一体に形成されているため、雨漏り等のトラブルを未然に回避することができる。
【００３４】
なお、本実施形態においては、単一のベース部２に単一の挿通用開口部２ａ及び単一の取付部３が設けられている場合を例に説明したが、ベース部２に複数の挿通用開口部２ａ及び複数の取付部３が設けられている構成であってもよい。
【００３５】
ここで、ハゼ式折板屋根材Ｒを支持するタイトフレームの設置間隔によっては、採光装置用屋根材１が強度不足となる可能性があり、このような場合には補強部材を用いるのが好ましい。より具体的に、図３を参照して、タイトフレームＦは、棟軒方向に所定間隔を置いて設けられた下地Ｂ（Ｃ型鋼下地等）に設置され、屋根材Ｒ及び採光装置用屋根材１は、これらのタイトフレームＦに所要の通りに設置・固定される。しかしながら、下地Ｂの設置間隔即ちタイトフレームＦの設置間隔は建物毎に異なり、比較的広い間隔で設置される場合もある。このように比較的広い間隔でタイトフレームＦが設置された場合であっても、山部と谷部とを有して構成される折板屋根材Ｒであれば強度不足になることはない。しかしながら、ベース部２が山部又は谷部を有さずに平面状に形成された採光装置用屋根材１の場合には、タイトフレームＦの間隔が所定距離以上になると強度不足となり、設置された採光装置用屋根材１に作業員が載る等した際に採光装置用屋根材１が下方に撓んでしまう可能性がある。
【００３６】
このような不都合を回避するため、タイトフレームＦの間隔が所定距離以上となる場合等においては、図３に示すような補強部材６を用いるのが好ましい。補強部材６は、一対の棒状部材６１と、一対の棒状部材６１同士を連結する一対の連結部材６２とを備え、これら棒状６１と連結部材６２により開口領域６３が規定されている。各棒状部材６１は棟軒方向に延出し、その両端部には下方領域が切り欠かかれることによって耳部６１ａが形成されている。かかる構成において、補強部材６は、各棒状部材６１の耳部６１ａがタイトフレームＦの山部Ｆ１０に載置されるように、一対のタイトフレームＦ間に掛け渡されて設置される。そして、採光装置用屋根材１の挿通用貫通孔２ａが補強部材６の開口領域６３の真上に位置するように採光装置用屋根材１を補強部材６の上に設置し、ビス等（図示せず）を用いて採光装置用屋根材１とタイトフレームＦとを補強部材６を介して固定する。
【００３７】
このように、仮にタイトフレームＦの設置間隔が大きい場合であっても、採光装置用屋根材１を補強部材６により下方から支持することができるので、補強部材６を含む採光装置用屋根材１全体の剛性を大きくすることができ、採光装置用屋根材１の強度不足を補うことができる。また、タイトフレームＦの山部Ｆ１０と採光装置用屋根材１との間に挟持される耳部６１ａは、棒状部材６の残部よりも肉薄にされているので、補強部材６を用いた場合であっても採光装置用屋根材１の高さ方向における位置ずれを最小限に抑えることができ、左右両側に設置される屋根材Ｒとの連結を問題なく行うことができる。一方、棒状部材６１の残部（本体部分）及び連結部材６２は耳部６１ａよりも肉厚に構成されているので、採光装置用屋根材１の強度を強固に補強することができる。
【００３８】
［第２実施形態］
次に、本発明の第２実施形態に係る採光装置用屋根材について説明する。なお、上述した第１実施形態に係る採光装置用屋根材と実質同一の部材については同一の参照番号を付し、その説明は省略する。
【００３９】
図４及び図５を参照して、本実施形態では、複数個の採光装置用屋根材１０１が棟軒方向に連結されて敷設される。各採光装置用屋根材１０１のベース部１０２は、棟軒方向におけるハゼ式折板屋根材Ｒの長さよりも短く形成されており、ベース部１０２には上述した挿入用開口部２ａ、支持部３、及び一対の接合部２２，２２に加え、第１連結部２３及び第２連結部２４が設けられている。
【００４０】
より具体的に、ベース部１０２の水下側側端部は略くの字型に屈曲し、左右方向中央部を中心に左右両側へ水下側に向かって傾斜するように形成されている。図６に示す様に、第１連結部２３は、ベース部１０２の水下側側端部から水下側に向かって斜め上方に延びる傾斜部２３ａと、傾斜部２３ａの上端に連続して設けられた略コの字型断面を有する係止部２３ｂと、を備え、係止部２３ｂは傾斜部２３ａの上端から水下側に延びる上面部２３ｃと、上面部２３ｃの水下側側縁から下方に垂下する側面部２３ｄと、側面部２３ｄの下端から水上側に延びる底面部２３ｅと、を備える。また、第１連結部材２３はベース部１０２の水下側側端部と同様に、その左右方向中央部が水上側に位置するように平面視略くの字型に屈曲して形成されている。
【００４１】
第２連結部２４は、ベース部１０２の上面１０２ｂの水上側側端部付近に設けられ、ベース部１０２の上面１０２ｂに固定支持される支持部２４ａと、支持部２４ａの水下側端部から起立する起立部２４ｂと、起立部２４ｂの上端に連続して設けられた略コの字形断面を有する被係止部２４ｃと、を備え、被係止部２４ｃは起立部２４ｂの上端から水下側に延びる上面部２４ｄと、上面部２４ｄの水下側側縁から下方に垂下する側面部２４ｅと、側面部２４ｅの下端から水上側に延びる底面部２４ｆと、を備える。ベース部１０２の上面１０２ｂと被係止部２４ｃの底面部２４ｆとの間には、係止部２３ｂの底面部２３ｅを挿入させるための隙間Ｇが形成されている。第２連結部材２４も第１連結部材２３と同様に、その左右方向中央部が水上側に位置するように、平面視略くの字型に屈曲して形成されている。
【００４２】
このように構成された採光装置用屋根材１０１は次の様にして相互に連結される。まず、採光装置用屋根材１０１を最水下側の所定位置に設置し、図７に示す様に取付ネジＳ１を第２連結部２４の支持部２４ａ及びベース部１０２を通してタイトフレームＦ等の支持部材に螺着させる。次に、他の採光装置用屋根材１０１の係止部２３ｂを先に設置された水下側の採光装置用屋根材１０１の被係止部２４ｃに係止させる。この状態で取付ネジＳ２を係止部２３ｂの側面部２３ｄを通して被係止部２４ｃの側面部２４ｅに螺着させる。残りの採光装置用屋根材１０１についても同様に水下側から水上側へ順次連結／設置していけばよい。
【００４３】
複数の採光装置用屋根材１０１をこのように連結すると、降雨時にベース部１０２の上面１０２ｂに流れ込んだ雨水は、平面視略くの字型に屈曲して形成された第１連結部２３に沿って左右に分流されるようになり、雨水を第１及び第２連結部２３，２４の水下側へ効率良く流すことができる。また、第１連結部２３は傾斜面２３ａを有するので、雨水が第１連結部２３に沿って分流される際の抵抗を小さくすることができる。
【００４４】
また、第２連結部２４及びベース部１０２に挿通される取付ネジＳ１は、係止部２３ｂと被係止部２４ｃとの係止箇所よりも水上側に位置するため、雨水が取付ネジＳ１の取付箇所まで浸入するのが防止され、ひいては取付ネジＳ１から屋内へ雨水が浸入するのを防止できる。
【００４５】
なお、棟軒方向に複数連結されて使用される採光装置用屋根材１０１のうち、最水下側に設置される採光装置用屋根材１０１については、第１連結部２３を省略してベース部１０２全体を矩形状（水下側側縁部を直線状に形成）とするのが好ましい。また、最水上側に設置される採光装置用屋根材１０１については、第２連結部２４を省略するのが好ましい。また、本実施形態においても、ベース部１０２に複数の挿通用開口部２ａ及び複数の取付部３が設けられている構成であってもよい。
【００４６】
［第３実施形態］
次に、本発明の第３実施形態に係る採光装置用屋根材について説明する。なお、上述した第１実施形態又は第２実施形態に係る採光装置用屋根材と実質同一の部材について同一の参照番号を付し、その説明は省略する。
【００４７】
図８を参照して、本実施形態では、複数（図８の例では２個）の採光装置用屋根材２０１が棟軒方向に連結されて敷設される。各採光装置用屋根材２０１のベース部２０２は、棟軒方向におけるハゼ式折板屋根材Ｒの長さよりも短く形成されており、ベース部２０２には上述した挿入用開口部２ａ、取付部３、及び接合部２２が設けられている。また、ベース部２０２の水下側部位には、ベース部２０２の上面２０２ｂから幾分上方に突出する複数（図８の例では３つ）のエンボス部２０３が形成されている。
【００４８】
このように構成された採光装置用屋根材２０１は、次の様にして連結される。図９を参照して、水下側の採光装置用屋根材２０１（以下、特に「水下側採光装置用屋根材２０１Ａ」という）を所定位置に設置し、水下側採光装置用屋根材２０１Ａのベース部２０２の上面２０２ｂの水上側部位にブチル両面テープＴ（接着手段）を貼付すると共に、ブチル両面テープＴを挟むようにブチル両面テープＴの水下側及び水上側にコーキング剤Ｃを塗布する。ここで、ブチル両面テープＴ及びコーキング剤Ｃは、ベース部２０２の上面２０２ｂの幅全体に亘って設けられるのが好ましい。
【００４９】
次に、水上側の採光装置用屋根材２０１（以下、特に「水上側採光装置用屋根材２０１Ｂ」という）の水下側部位を、水下側採光装置用屋根材２０１Ａの水上側部位に重ね合わせるようにして設置する。このとき、水下側採光装置用屋根材２０１Ａに貼付・塗布されたブチル両面テープＴ及びコーキング剤Ｃが、水下側採光装置用屋根材２０１Ａと水上側採光装置用屋根材２０１Ｂによって上下方向から挟み込まれるようにすると共に、ブチル両面テープＴの真上にエンボス部２０３が位置するようにする。
【００５０】
この状態で、複数個のビスＢ（固定手段）をエンボス部２０３及びブチル両面テープＴを介して水下側採光装置用屋根材２０１Ａに打ち込むことにより、水下側採光装置用屋根材２０１Ａと水上側採光装置用屋根材２０１Ｂとが強固に連結されると共に、水下側採光装置用屋根材２０１Ａと水上側採光装置用屋根材２０１Ｂの間がブチル両面テープＴ及びコーキング剤Ｃによってシーリングされ、水下側採光装置用屋根材２０１Ａと水上側採光装置用屋根材２０１Ｂの間から雨水等が屋内に浸入するのを防止できる。
【００５１】
ここで、コーキング剤Ｃは太陽光に曝されると数年で劣化するという問題点を有するが、本実施形態においてはコーキング剤Ｃは水上側採光装置用屋根材２０１Ｂによって覆われて太陽光に曝されないため、長期間に亘ってシーリング効果を発揮することができる。また、ビスＢを打ち込むことにより水上側採光装置用屋根材２０１Ｂには貫通孔が形成されるが、ビスＢの打ち込み箇所は上面２０２ｂよりも上方に突出したエンボス部２０３とされているため、エンボス部２０３に降った雨水は下方に流れ落ちるようになり、これによって上記貫通孔を介した雨水の浸入を防止できる。なお、雨水の浸入をより効果的に防止するために、ビスＢの打ち込み箇所にコーキング剤を塗布しておくのがより好ましい。
【００５２】
更に、本実施形態においては、複数のエンボス部２０３は左右方向に連続せずに断続的に設けられているので、雨水はエンボス部２０３により堰き止められることなく、スムーズに水下側へ流れ、当該構成によっても雨漏りを防止できる。
【００５３】
また、複数の屋根材を棟軒方向に連結させる従来の方法では、水下側の屋根材の水上側端部に設けられたハゼ部と、水上側の屋根材の水下側端部に設けられたハゼ部とを、ハゼ継ぎして連結させるのが一般的であった。しかしながら、このようにハゼ継ぎする場合には、ハゼ部の左右両側における隙間を完全に無くすことができず、雨漏り対策として万全でないという問題があった。これに対し、本実施形態における採光装置用屋根材２０１によれば、水下側採光装置用屋根材２０１Ａと水上側採光装置用屋根材２０１Ｂとは、両者を重ね合わせてビス留めすることにより連結されるので、水上側端部又は水下側端部にハゼ部を設ける必要がなく、従ってハゼ部の両側に隙間が生じるという問題を回避できる。
【００５４】
更に、本実施形態では、ビスＢはブチル両面テープＴに挿通されて固定されるので、より効果的に雨漏りを防止できる。即ち、ブチル両面テープＴはブチルゴムから成るが、ブチルゴムにビスＢを挿通させると、ブチルゴムがビスＢに纏わり付き、ビスＢによって形成された貫通孔が良好にシーリングされる。
【００５５】
なお、本実施形態においては、ベース部２０２に複数の挿通用開口部２ａ及び複数の取付部３が設けられている場合を例に説明したが、ベース部２０２に単一の挿通用開口部２ａ及び単一の取付部３が設けられてもよい。
【００５６】
本実施形態において、水下側採光装置用屋根材２０１Ａと水上側採光装置用屋根材２０１Ｂにより連結屋根材が構成される。
【００５７】
［第４実施形態］
次に、本発明の第４実施形態に係る採光装置用屋根材について図１０を参照して説明する。図１１に示す採光装置用屋根材６０１は、上述した採光装置用屋根材１と略同一の構成を有するが、ベース部６０２には円形状の挿通用開口部２ａに代えて矩形状の挿通用開口部６０２ａが設けられ、挿通用開口部６０２ａの周縁部からは矩形状の横断面を有する角筒状の支持部６０３が起立して形成されている点で異なる。支持部６０３とベース部６０２とは一体に形成され、支持部６０３の上端には外側に拡径されたフランジ部６０３Ａが設けられ、フランジ部６０３Ａの外縁部は下方に折り曲げられて接続部６０３Ｂを構成している。このように構成された採光装置用屋根材６０１の支持部６０３には、蓋部材６０４と採光装置６０５の何れかが選択的に設置される。
【００５８】
蓋部材６０４は、矩形状のキャップ状に構成され、支持部６０３の上端部に着脱自在に設置可能とされている。採光装置６０５は、上述した採光装置５の構成に加え、導光手段５２を支持するアダプタ部材１９を備える。アダプタ部材１９は、平板状の天板１９ａと、天板１９ａの側縁から下方に垂下する４枚の側板１９ｂと、を備え、下方が開放されたキャップ状に構成されている。また、天板１９ａの中央部位には円形状の開口部１９ｃが形成され、天板１９ａの上面には開口部１９ｃに対応して円筒状の支持部１９ｄが設けられている。筒状部材５２ａは、アダプタ部材１９の開口部１９ｃに上方から挿通され、その上方部位がアダプタ部材１９の支持部１９ｄに固定されて支持される。
【００５９】
このように構成された採光装置６０５を設置する際には、アダプタ部材１９に予め固定支持された筒状部材５２ａを挿通用開口部６０２ａに挿通し、アダプタ部材１９を支持部６０３に被せるようにして設置する。そして、アダプタ部材１９の支持部１９ｄと支持部６０３の接続部６０３とをビス等の固定手段（図示せず）により相互に固定させる。
【００６０】
採光装置用屋根材６０１及び採光装置６０５をこのような構成とすることで、異なる径の採光手段５１及び筒状部材５２を用いた場合であっても、アダプタ部材１９の外径さえ共通にしておけば、採光装置用屋根材６０１を共通に用いることができる。また、このような採光装置６０５は、予め工場等において製造・組立てておくことで、施工現場では屋根上から設置するだけで済み、施工現場において複雑な組立作業をする必要がなく、施工をスムーズに行うことができる。
【００６１】
また、支持部６０３の上端に外側に拡径されたフランジ部６０３Ａを設け、このフランジ部位６０３Ａの外縁部を下方に折り曲げて接続部６０３Ｂを形成しているので、支持部６０３の周縁部からの雨水等の浸入を効果的に防止できる。
【００６２】
次に、採光装置用屋根材６０１の変形例について図１１を参照して説明する。図１１に示す採光装置用屋根材７０１においては、ベース部７０２に円形状の挿通用開口部２ａが設けられると共に、挿通用開口部２ａを囲うようにして支持部６０３が起立して形成されている。このような構成においては、挿通用開口部２ａに導光手段５２（図１０参照）が挿通され、アダプタ部材１９が支持部６０３に被せられて設置される。
【００６３】
また、この採光装置用屋根材７０１には、必要に応じてアダプタ部材７１０を装着できる。アダプタ部材７１０には挿通用開口部２ａよりも小径で円形状の挿通用開口部２ａ’が形成されており、支持部６０３の内径に対応した大きさ及び形状を有して構成されている。よって、図１０に示す導光手段５２よりも小径の導光手段を備えた採光装置を用いる場合においては、アダプタ部材７１０を支持部６０３の内側でベース部７０２に載置するようにして装着させ、導光手段を挿通用開口部２ａ’に挿通させる。このような構成により、導光手段と挿通用開口部との間に大きな隙間が生じるのを防止できる。
【００６４】
本変形例においては、ベース部７０２に円形状の挿通用開口部２ａが設けられ、挿通用開口部２ａを囲うようにして支持部６０３が起立して形成されているが、図１０に示すベース部６０２の下面に、挿通用開口部２ａ’が形成された板状部材を取り付けて構成されてもよい。
【００６５】
以上、本発明の実施形態に係る採光装置用屋根材について添付の図面を参照して説明したが、本発明はかかる実施形態に限定されず、本発明の範囲を逸脱することなく種々の変形乃至修正が可能である。
【００６６】
例えば、図３に示す補強部材６は、第１実施形態の採光装置用屋根材１だけでなく、その他の採光装置用屋根材の設置に際しても同様に使用することができる。また、図３に示す補強部材６は一対の連結部材６２を有する構成としたが、１の連結部材６２又は３以上の連結部材６２を有することとしてもよく、あるいは複数の挿通用開口部２ａに対応させて複数対の連結部材６２が設けられた構成としてもよい。
【００６７】
また、上記各実施形態では、ハゼ式折板屋根材Ｒに代えて用いられるものを例に説明したが、本発明はこれに限定されず、谷部及び山部を有して形成される他の屋根を構成する屋根材に代えて用いられるものであってもよく、このような屋根材としては、重ね式折板屋根を構成する重ね式折板屋根材や、波板屋根を構成する波板屋根材、瓦棒屋根を構成する溝板等が挙げられる。例えば、重ね式折板屋根に用いる場合には、図１２に示すように、採光装置用屋根材３０１のベース部３０２に設けられる接合部３２２の形状を、重ね式折板屋根材に対応させて略への字型断面を有するように屈曲した形成としてもよい。また、波板屋根に用いる場合には、図１３に示すように、採光装置用屋根材４０１のベース部４０２に設けられる接合部４２２の形状を、波板屋根材の山部に対応する湾曲形状とすればよい。
【００６８】
更に、瓦棒屋根に用いる場合には、図１４に示す様な採光装置用屋根材５０１を用いればよい。採光用屋根材５０１は一対の心木Ｔ１，Ｔ１の間に設置される溝板に代えて用いられるものであり、そのベース部５０２には両側縁部から上方に起立する一対の接合部５２２，５２２が設けられている。そして、この採光装置用屋根材５０１は、接合部５２２，５２２が心木Ｔ１，Ｔ１（心なし瓦棒屋根の場合には通し吊子）の側面に当接するように、これら心木Ｔ１，Ｔ１の間に設置され、その両側に位置する一対の溝板Ｔ２，Ｔ２とはキャップＴ３，Ｔ３を介して連結されると共に、図示しないビスによって心木Ｔ１，Ｔ１に固定される。
【００６９】
なお、採光装置用屋根材としては、例えば５ｍ長さのベース部に２つの支持部３が設けられたもの、１０ｍ長さのベース部に４つの支持部３が設けられたもの、１５ｍ長さのベース部に６つの支持部３が設けられたもの等、複数種類を用意しておき、屋根の大きさに合わせてこれらを組み合わせて用いるようにすれば、様々な大きさ（棟軒方向長さ）の屋根に容易に対応することができる。
【符号の説明】
【００７０】
１，１０１，２０１，３０１，４０１，５０１  採光装置用屋根材
２，２０２，３０２，３０２，４０２，５０２  ベース部
２ａ  挿通用開口部
３  支持部
４  蓋部材
５  採光装置
６  補強部材
２２，２２２，３２２，４２２，５２２  接合部
２３  第１連結部
２３ｂ  係止部
２４  第２連結部
２４ｃ  被係止部
２０３  段差部
Ｃ  コーキング剤
Ｆ  タイトフレーム
Ｒ  ハゼ式折板屋根材
Ｒ５  谷部
Ｒ６  山部
Ｔ  ブチル両面テープ
Ｔ１  心木
Ｔ２  溝板
Ｔ３  キャップ
【図１】
2015158053.tif 000003
【図２】
2015158053.tif 000004
【図３】
2015158053.tif 000005
【図４】
2015158053.tif 000006
【図５】
2015158053.tif 000007
【図６】
2015158053.tif 000008
【図７】
2015158053.tif 000009
【図８】
2015158053.tif 000010
【図９】
2015158053.tif 000011
【図１０】
2015158053.tif 000012
【図１１】
2015158053.tif 000013
【図１２】
2015158053.tif 000014
【図１３】
2015158053.tif 000015
【図１４】
2015158053.tif 000016